(57)【特許請求の範囲】
【請求項１】
床面の洗浄を行う床面洗浄装置に回転可能に設けられる床面洗浄パッドであって、
前記床面に対向するように設けられ、前記床面洗浄装置の種類に応じて選択的に使用される外径寸法の異なる円環状のパッド台と、
該パッド台の前記床面側の面に対して着脱可能で周方向に沿って複数設けられ、前記パッド台の外径寸法に拘らず同一形状且つ同一寸法のパッド片と、
を備え、該各パッド片は、最小外径のパッド台の外径部より内側において湾曲する外周部と前記最小外径のパッド台の内径部より外側において湾曲する内周部とが互いに円弧状に形成されていることを特徴とする床面洗浄パッド。
【請求項２】
前記各パッド片の前記外周部と前記内周部とは、互いに略同一径の円弧で形成されていることを特徴とする請求項１に記載の床面洗浄パッド。
【請求項３】
前記パッド片の外周部は、前記最小外径のパッド台の外径部に対応して湾曲しており、前記パッド片の両端部は、隣接するパッド片の端部と当接するように前記最小外径のパッド台に取り付けられていることを特徴とする請求項１又は２に記載の床面洗浄パッド。
【請求項４】
前記パッド台の前記床面側の面には、前記パッド片より薄厚のガイド板が設けられ、該ガイド板には、前記パッド片の内周部と前記パッド片の少なくとも回転方向先端側の端部とが当接するガイド部が形成されていることを特徴とする請求項１又は２に記載の床面洗浄パッド。
【請求項５】
前記ガイド板は、回転方向に向かって内側に傾斜した姿勢で前記パッド片を支持するように形成されていることを特徴とする請求項４に記載の床面洗浄パッド。
【請求項６】
前記ガイド板は、前記パッド台の外径寸法が大きくなるに従って、前記パッド片の内側傾斜角度が大きくなるように形成されていることを特徴とする請求項５に記載の床面洗浄パッド。
【請求項７】
前記パッド台と前記各パッド片とは面ファスナーを介して接合されていることを特徴とする請求項１〜６のいずれか１の請求項に記載の床面洗浄パッド。
【請求項８】
前記パッド台と前記ガイド板とは面ファスナーを介して接合されていることを特徴とする請求項４〜６のいずれか１の請求項に記載の床面洗浄パッド。
【発明の詳細な説明】
【技術分野】
【０００１】
本発明は、床面洗浄機や床面艶出し機等の床面洗浄装置に使用される床面洗浄パッドに関する。
【背景技術】
【０００２】
従来、洗浄用のブラシや不織布で成形された洗浄用のパッドをモータで高速回転させつつ床面に当接させることにより、床面の汚れを掻き落としたり、床面を磨いたりする床面洗浄装置が知られている。しかしながら、このような床面洗浄装置を用いて、例えばセラミックタイル等で造られた床面を洗浄した場合には、高速回転するブラシやパッドがセラミックタイルの表面に形成されている細孔の中まで掃除できないため、細孔内にゴミが残ってタイル表面をきれいに洗浄できずに、汚れを残してしまう問題があった。
【０００３】
そのため、近年ではセラミックタイルが広範囲に使用されているホテルや空港ロビー等の床面を洗浄する床面洗浄装置に用いるパッドの素材として、細孔内の汚れに対しても高い洗浄効果を持つ圧縮メラミンフォームが採用されるようになり、この圧縮メラミンフォームを円盤状に成形した洗浄パッドで床面を洗浄する方法が普及してきた。一方で、圧縮メラミンフォームは耐久性が弱く、頻繁に交換が必要になるため、このような耐久性不足による交換作業の煩雑さを改善し、交換部品を含めた部材コストを低く抑えたいという要求が顕在化してきた。
【０００４】
そこで、例えば特許文献１では、適宜の間隔を設けて複数の穴を穿設した保護パッドを洗浄用のパッド台に取り付け、上記した複数の穴の内側に保護パッドより厚肉のメラミンフォーム製のパッド片を配置し、パッド片をパッド台に着脱可能に取り付ける技術が開示されている。このような構成を採用することにより、パッド片が摩耗したとしても、保護パッドによりパッド台が保護され、パッド台が直接床面に接触して床面が傷つくという事故を防止できることに加えて、パッド片のみを簡単に交換できるというメリットがある。
【０００５】
また、例えば特許文献２では、床面に当接される洗浄部をメラミンフォームで構成し、それらを複数配置して隣り合うもの同士の間に隙間を設けている。このような構成を採用することにより、洗浄水の散水性を向上させながら、部分的なパッド片の交換を可能とし、メンテナンスコストの低減を図るというメリットがある。
【先行技術文献】
【特許文献】
【０００６】
【特許文献１】実用新案登録第３１４５２９６号公報
【特許文献２】特開２００９−１８９５９５号公報
【発明の概要】
【発明が解決しようとする課題】
【０００７】
ところが、床面洗浄装置には、比較的狭い通路の洗浄を行う小型の床面洗浄装置から、オペレータが搭乗して装置を運転する大型の床面洗浄装置まで様々な種類のものが存在し、洗浄能力や仕様によって、洗浄水や洗浄後の汚水の貯水量、バッテリー容量、稼動時間、洗浄処理幅等が異なる。そのため、タンクやバッテリーの大きさが機種ごとに異なるだけでなく、洗浄ブラシやパッドの直径も様々な寸法のものが採用されている。
【０００８】
このような事情があるにも関わらず、上記特許文献１や特許文献２に開示されている技術では、上記した洗浄ブラシやパッドの様々なバリエーションに対応するための手段が何ら講じられていない。そのため、これらの従来技術を様々な寸法の洗浄パッドに適用する場合には、パッド片の成形形状や寸法にも多数のバリエーションが必要で、在庫数が増加して管理コストが高騰するという問題があった。
【０００９】
そこで、本発明は、パッド片の寸法や成形形状が統一されることによって管理コストを低減させることができ、且つ、優れた洗浄能力を発揮できるように工夫された床面洗浄用パッドを提供することを目的とする。
【課題を解決するための手段】
【００１０】
上記した目的を達成するため、本発明の請求項１に記載の床面洗浄パッドは、床面の洗浄を行う床面洗浄装置に回転可能に設けられる床面洗浄パッドであって、前記床面に対向するように設けられ、前記床面洗浄装置の種類に応じて選択的に使用される外径寸法の異なる円環状のパッド台と、該パッド台の前記床面側の面に対して着脱可能で周方向に沿って複数設けられ、前記パッド台の外径寸法に拘らず同一形状且つ同一寸法のパッド片と、を備え、該各パッド片は、最小外径のパッド台の外径部より内側において湾曲する外周部と前記最小外径のパッド台の内径部より外側において湾曲する内周部とが互いに円弧状に形成されていることを特徴とする。
【００１１】
本発明の請求項１に記載の構成によれば、同一形状且つ同一寸法のパッド片を着脱可能に複数設けて洗浄パッドを構成したため、パッド片の交換が可能でメンテナンス性が良く、一の形状及び寸法のパッド片のみを交換部品として準備すればよく、複数種類のパッド片の在庫を用意する必要がなく、部材管理費の低減に繋がる。
【００１２】
本発明の請求項２に記載の床面洗浄パッドは、前記各パッド片の前記外周部と前記内周部とは、互いに略同一径の円弧で形成されていることを特徴とする。
【００１３】
本発明の請求項２に記載の構成によれば、パッド片の外周部と内周部が互いに略同一径の円弧で形成されているため、パッド片の製造時にパッド片素材から複数のパッド片を切り出す際に、互いに隣接するパッド片の切り出し部分の外周部と内周部を近接させることができ、余分な素材を極力減少させることでパッド片の製造コストを削減することが出来る。
【００１４】
本発明の請求項３に記載の床面洗浄パッドは、前記パッド片の外周部は、前記最小外径のパッド台の外径部に対応して湾曲しており、前記パッド片の両端部は、隣接するパッド片の端部と当接するように前記最小外径のパッド台に取り付けられていることを特徴とする。
【００１５】
本発明の請求項３に記載の構成によれば、ガイド板等を用いずに最小外径のパッド台に複数のパッド片を固定できるため、部品点数を少なくしてコストダウンを図ることが可能となる。特に、最小外径のパッド台は、大型の床面洗浄装置において複数個使用される場合が多く、使用数が多いため、装置全体としてのコストダウン効果が大きい。
【００１６】
本発明の請求項４に記載の床面洗浄パッドは、前記パッド台の前記床面側の面には、前記パッド片より薄厚のガイド板が設けられ、該ガイド板には、前記パッド片の内周部と前記パッド片の少なくとも回転方向先端側の端部とが当接するガイド部が形成されていることを特徴とする。
【００１７】
本発明の請求項４に記載の構成によれば、ガイド部に沿ってパッド片を配置することで、パッド片をパッド台の適切な位置に容易に固定することができ、難しい位置合わせなどの作業が必要ない。加えて、パッド片の回転方向先端側の端部がガイド部に支持されることで、洗浄作業時にパッド片に何らかの異物が接触しても、パッド片が容易にずれたり外れたりする危険性が少なくなり、洗浄作業の作業性を向上させることが可能となる。
【００１８】
本発明の請求項５に記載の床面洗浄パッドは、回転方向に向かって内側に傾斜した姿勢で前記パッド片を支持するように形成されていることを特徴とする。
【００１９】
本発明の請求項５に記載の構成によれば、回転時にパッド片が常に内側に傾斜した姿勢を保持するため、パッド片に外側から異物が当たっても、パッド片に加わる負荷のほとんどがガイド部の内側方向に作用するために、パッド片が容易にずれたり外れたりする危険性を少なくすることができる。
【００２０】
本発明の請求項６に記載の床面洗浄パッドは、前記パッド台の外径寸法が大きくなるに従って、前記パッド片の内側傾斜角度が大きくなるように形成されていることを特徴とする。
【００２１】
本発明の請求項６に記載の構成によれば、パッド台の外径が大きくなるに従って、パッド片の内側傾斜角度を大きくすることで、回転時にパッド片が通過する部分の幅も大きくすることができる。そのため、各パッド台の外径に応じて、適切な洗浄幅を得ることができる。
【００２２】
本発明の請求項７に記載の床面洗浄パッドは、前記パッド台と前記各パッド片とは面ファスナーを介して接合されていることを特徴とする。
【００２３】
本発明の請求項７に記載の構成によれば、面ファスナーを介してワンタッチでパッド台と各パッド片の着脱が可能となり、各パッド片の交換を容易に行うことができ、メンテナンス性の向上を図ることが可能となる。
【００２４】
本発明の請求項８に記載の床面洗浄パッドは、前記パッド台と前記ガイド板とは面ファスナーを介して接合されていることを特徴とする。
【００２５】
本発明の請求項８に記載の構成によれば、パッド片に加えてガイド板もワンタッチでパッド台に着脱可能となり、ガイド板のメンテナンス性も向上させることができるとともに、同一のパッド台を他の円環形状の洗浄パッドでも転用することが可能となり、汎用性も向上させることができ、部材の管理コストの低減も可能となる。
【発明の効果】
【００２６】
本発明は、パッド片の寸法や成形形状が統一されることによって管理コストを低減させることができ、且つ、優れた洗浄能力を発揮できるように工夫された床面洗浄用パッドを提供する。
【図面の簡単な説明】
【００２７】
【図１】本発明の第１の実施形態に係る床面洗浄パッドが搭載された中型の床面洗浄機の斜視図である。
【図２】本発明の第１の実施形態に係る床面洗浄用パッドの底面図である。
【図３】本発明の第１の実施形態に係る床面洗浄パッドの構造を示す分解斜視図である。
【図４】本発明の第１の実施形態に係る床面洗浄パッドの部分底面図である。
【図５】図４のＡ―Ａ断面図である。
【図６】本発明の第１の実施形態に係るパッド片の製造方法を模式的に示す説明図である。
【図７】本発明の第２の実施形態に係る床面洗浄用パッドの底面図である。
【図８】本発明の第３の実施形態に係る床面洗浄パッドが搭載された小型の床面洗浄機の斜視図である。
【図９】本発明の第３の実施形態に係る床面洗浄用パッドの底面図である。
【図１０】本発明の第４の実施形態に係る床面洗浄パッドが搭載された大型の床面洗浄機の斜視図である。
【図１１】本発明の第４の実施形態に係る床面洗浄用パッドの底面図である。
【発明を実施するための形態】
【００２８】
＜第１の実施形態＞
本発明の第１の実施形態に係る床面洗浄パッド（以下「洗浄パッド」と略す）及びこの洗浄パッドが搭載された床面洗浄機について、図１〜図６を参照して説明する。以下、図１における左手前側の面を床面洗浄機の正面とした場合について説明する。
【００２９】
図１に示される第１の実施形態の床面洗浄機１は、中型の床面洗浄機１であって、前後方向に長い箱型形状の本体２と、本体２の底面の前端部に水平に取り付けられる略円盤状のガード部材９と、このガード部材９内に取り付けられる略円盤状の洗浄パッド３と、本体２の底面の後端部に左右方向に張り出した形状で取り付けられるスキージ４と、本体２の底面において洗浄パッド３とスキージ４の間に取り付けられる前輪５及び後輪６と、本体２の上面の後端部に取り付けられるハンドル７と、を備えている。
【００３０】
本体２の上面の前部には、上方に向かって後方に傾斜する傾斜面８が設けられ、この傾斜面８に、本体２の内部前側に設けられた洗浄水タンク（図示せず）の蓋１０が取り付けられている。洗浄水タンクは、本体２の底面の洗浄パッド３近傍と給水ホース（図示せず）等を介して連通しており、洗浄水タンク内に貯蔵された洗浄水を、上記した給水ホース等を介して洗浄パッド３の近傍に供給できるようになっている。
【００３１】
本体２内部の洗浄水タンクの後方には汚水タンク（図示せず）が設けられており、この汚水タンクの蓋１１が、本体２の上面の洗浄水タンクの蓋１０の後方に取り付けられている。汚水タンクは、スキージ４の左右方向中央に設けられた吸引口（図示せず）と吸引ホース（図示せず）等を介して連通しており、本体２の内部に設けられたブロワモータ（図示せず）により吸引口から吸引ホース等を介して吸い込んだ汚水を、汚水タンク内に導入できるようになっている。
【００３２】
本実施形態の洗浄パッド３は、中程度の径の洗浄パッド３であり、小型から中型の床面洗浄機１に搭載されることが多い。洗浄パッド３の外径Ｄ１（図１及び図２参照）は１７インチ程度であり、この洗浄パッド３の外径が、そのまま床面洗浄機１の洗浄幅になっている。
【００３３】
図３に最も良く示されているように、洗浄パッド３は、円環状のパッド台１２と、このパッド台１２の下面に取り付けられる円環状のスペーサ部材としてのゴム板１３と、このゴム板１３の下面に取り付けられる円環状の面ファスナー１４と、この面ファスナー１４の下面に対して周方向に沿って取り付けられる３個のパッド片１５と、面ファスナー１４の下面に取り付けられて各パッド片１５を支持する円環状のガイド板１６と、を備えている。
【００３４】
パッド台１２は、外形寸法が１７インチ程度で、好ましくは樹脂製又は木製であり、床面に対向するように設けられており、パッド台１２の上面の中央部には軸受け部１７が固定されている。この軸受け部１７について、図４、図５に基づいて説明すると、軸受け部１７は、パッド台１２の中央に穿設された貫通穴１８に下端部が挿入される内筒部２０と、この内筒部２０の外周に配置されて下端部が貫通穴１８の周囲のパッド台１２に当接する外筒部２１と、内筒部２０と外筒部２１とを連結する複数の放射状の支持アーム２２と、を備えている。
【００３５】
内筒部２０は、外周面が平面視円形を成し、内周面に平面視正六角形の嵌合部２３が設けられている。この嵌合部２３に、床面洗浄機１の底面から下方に突出する断面正六角形の主軸２４が嵌合されている。この主軸２４は、床面洗浄機１内に配置されたパッドモータ（図示せず）と接続されており、主軸２４を嵌合部２３に嵌合させた状態で、上記パッドモータにより主軸２４を回転させることで、洗浄パッド３が主軸２４と一体的に回転するようになっている。
【００３６】
内筒部２０には、その外周の一部に厚肉部２５が設けられており、外筒部２１には、その外周の一部に厚肉部２６が設けられ、それぞれの中央部に内側挿通穴２８と外側挿通穴３０が水平方向に穿設され、内側挿通穴２８及び外側挿通穴３０には、ロック機構としての係止ピン３１が水平方向に貫挿されている。そして、この係止ピン３１の先端が、主軸２４の側面に形成された凹溝２９に嵌合して、主軸２４と嵌合部２３の嵌合状態が保持されるようになっている。係止ピン３１の先端側には、止め穴３５が上下方向に穿設されている。
【００３７】
パッド台１２の内筒部２０と外筒部２１との間の位置には操作穴２７が設けられ、この操作穴２７には、ロック操作片３４の下部が挿入されている。このロック操作片３４の上部には貫挿穴３９が水平に穿設されており、この貫挿穴３９からロック操作片３４の上面まで上下穴１９が穿設されている。そして、貫挿穴３９に係止ピン３１を貫挿させた状態で、上方向よりボルト３３を上下穴１９及び止め穴３５に固定することにより、係止ピン３１とロック操作片３４が一体的に動作するようになっている。
【００３８】
係止ピン３１の周面には、ロック操作片３４と外側挿通穴３０の周囲の外筒部２１の内周面との間にコイルスプリング３２が介装されている。このコイルスプリング３２により、係止ピン３１及びロック操作片３４が内側（図５では右側）に向かって付勢され、係止ピン３１の先端と凹溝２９の嵌合状態が保持されるとともに、ロック操作片３４の下部が操作穴２７の内側部分に当接し、ロック操作片３４の水平方向の動きが規制されるようになっている。
【００３９】
再び図３を参照すると、ゴム板１３は、パッド台１２と同様に外径が１７インチ程度であり、パッド台１２に着脱可能に取り付けられていても良いし、特に着脱する必要が無い場合には、接着剤等を用いてパッド台１２の下面に着脱不能に固定されていても良い。なお、本実施形態では、スペーサ部材をゴム板１３により形成しているが、他の異なる実施形態では、例えば、ゴム板１３と同様に可撓性を有するスポンジ板により、スペーサ部材を形成することも可能である。
【００４０】
面ファスナー１４は、ゴム板１３とほぼ同一形状であり、ゴム板１３の下面に着脱可能に取り付けられていても良いし、特に着脱する必要が無い場合には、接着剤等を用いてゴム板１３の下面に着脱不能に固定されていても良い。面ファスナー１４は、パッド台１２及びゴム板１３と同様に、外径が１７インチ程度であり、内径（中央の穴部の直径。以下、円環状の部材について「内径部」という場合には、同様の意味で用いるが、パッド台１２においては軸受け部１７やその周辺の貫通穴１８や止めネジ等を除いた部分の範囲の径を示し、図１１では内径部１２ｂで指示する。）はゴム板１３と同一である。面ファスナー１４の下面にはフック面３６が形成されており、このフック面３６に対して、ループを有する部材が着脱自在に接合されるようになっている。
【００４１】
各パッド片１５は、圧縮メラミンフォームにより形成されており、一定の厚みを有し、左右対称形状を成している。各パッド片１５は、湾曲する外周部３７と、この外周部３７の内側において外周部３７と同方向に湾曲する内周部３８と、外周部３７と内周部３８を連結する平面状の両端部４０とを備えており、外周部３７と内周部３８とは互いに円弧状に形成されている。
【００４２】
各パッド片１５の上面には、ループ材が予め貼り付けられることにより、面ファスナー１４のフック面３６に対して着脱自在に接合するループ面４１が形成されている。なお、前述の如く、各パッド片１５は左右対称形状であるから、どちらの面にループ面４１が形成されていても、面ファスナー１４への取付に支障がない。  各パッド片１５の外周部３７は、後述の第４の実施形態において説明する小径の洗浄パッド３に使用される１３インチの外径を備えたパッド台１２の外径部１２ａに対応して湾曲している（図１１参照）。
各パッド片１５の外周部３７と内周部３８とは、互いに略同一径の円弧により形成されている。即ち、各パッド片１５の外周部３７と内周部３８は、曲率が略同一である。なお、本実施の形態ではこのように、各パッド片１５の外周部３７と内周部３８を略同一径の円弧により形成しているが、他の異なる実施形態では、内周部３８の円弧の径を、外周部３７の円弧の径よりも若干大きくすることも可能である。
【００４３】
ガイド板１６は、例えば、硬質ゴム製、樹脂製又は木製であり、各パッド片１５よりも薄厚に成形されている。ガイド板１６の内径は、ゴム板１３及び面ファスナー１４の内径と略同一であり、ゴム板１３、面ファスナー１４及びガイド板１６の内径部が、パッド台１２の軸受け部１７と重ならないように調整されている。上述の如く、ゴム板１３、面ファスナー１４及びガイド板１６の内径を略同一とすることにより、これらの部材の着脱時の位置合わせが容易になり、作業性が向上する。ガイド板１６の上面にはループ材が予め貼り付けられてループ面４２が形成されており、このループ面４２が面ファスナー１４のフック面３６に対して着脱自在に接合している。
【００４４】
なお、ループ材は必ずしも面ファスナー１４のフック材に対応して製作されているものである必要はなく、例えばメリヤス地でトリコット編みの生地などをループ材として使用し、各パッド片１５やガイド板１６の接合部材として使用してもよい。
【００４５】
ガイド板１６には、３個のガイド部４３が、周方向に等間隔で切欠されている。各ガイド部４３は、パッド台の回転方向（図２、図３の矢印参照）に対して緩やかに内側に傾斜する湾曲形状の内周当接部４４と、この内周当接部４４の回転方向先端側に設けられ、内周当接部４４から外側に屈曲して形成された直線状の先端当接部４５と、を備えている。そして、先端当接部４５に各パッド片１５の一方の端部４０（回転方向先端側の端部）を当接させた状態で、内周当接部４４に各パッド片１５の内周部３８が当接するように形成されている。なお、このように、先端当接部４５に各パッド片１５の一方の端部４０を当接させ、内周当接部４４に各パッド片１５の内周部３８を当接させた状態で、各パッド片１５の他方の端部４０はガイドされていない。
【００４６】
次に、上記した各パッド片１５を製造する方法の一例を、図６を用いて以下に説明する。
【００４７】
本実施形態の各パッド片１５は、圧縮メラミンフォームにより形成されたパッド片素材４６を、各パッド片１５の形状に沿って切り出すことにより製造される。この製造の際、本実施の形態では各パッド片１５の外周部３７と内周部３８を略同一径の円弧状としているため、各パッド片１５の切り出し部分４７の間隔４８が、略同一幅の幅狭な帯状となる。そのため、互いに隣接するパッド片１５の切り出し部分４７の外周部と内周部を近接させることができ、各切り出し部分４７の間隔４８を極力減少させることができる。従って、余分な素材を少なくして、各パッド片１５の製造コストを削減することが可能となる。また、切り出し部分４７の間隔４８を減少させることで、各パッド片１５の抜きピッチを短くすることができるため、一定の大きさのパッド片素材４６から切り出せるパッド片１５の数を増やすことができる。
【００４８】
更に、本実施形態の如く、各パッド片１５の外周部３７と内周部３８を略同一径の円弧状とする場合には、パッド片１５の他の異なる製造方法として、パッド片１５の切り出し部分４７を、間隔４８を設けずに連続させることも可能である。この場合には、各パッド片１５の外周部３７と内周部３８をつなげたままの状態で複数のパッド片１５をパッド片素材４６から切り出した後、湾曲した刃物状の工具を用いて、各パッド片１５の境界部分を切断することも可能である。このように、間隔４８を設けずに各パッド片１５の切り出し部分４７を形成することにより、余分な素材部分を一層減少させて、各パッド片１５の製造コストを一層削減することが可能となるとともに、各パッド片１５の抜きピッチを一層短くすることができる。
【００４９】
さらに本実施形態では、各パッド片１５を図の様に長手方向に交互に方向を変えて配置して製作しており、長手方向の抜きピッチも一層短くすることができ、そのために各パッド片１５の両方の端部４０も前述と同様に間隔を減少させるか、若しくは間隔を設けずに連続させて製作することも可能となるよう、両方の端部４０の形状や角度が決定されている。
【００５０】
次に、洗浄パッド３を組み立てる場合又は各パッド片１５を交換する場合に、各パッド片１５をパッド台１２に対して着脱する方法を以下に説明する。
【００５１】
まず、面ファスナー１４の内径部とガイド板１６の内径部の位置を合わせるようにして、面ファスナー１４のフック面３６にガイド板１６のループ面４２を接合させる。次に、ガイド板１６の各ガイド部４３の先端当接部４５に各パッド片１５の一方の端部４０を当接させ、各ガイド部４３の内周当接部４４に各パッド片１５の内周部３８を当接させた状態で、各パッド片１５のループ面４１を面ファスナー１４のフック面３６と接合させる。
【００５２】
この状態で、各パッド片１５を面ファスナー１４側に一定荷重で加圧すると、各パッド片１５のループ面４１が面ファスナー１４のフック面３６にしっかりと接合されて、各パッド片１５が面ファスナー１４に固定される。これにより、図２に示される如く、各パッド片１５は、ガイド板１６の各ガイド部４３に沿って配置され、洗浄パッド３の回転方向に向かって内側に傾斜した姿勢でガイド板１６に支持される。
【００５３】
このように各パッド片１５を面ファスナー１４に対して接合させるにあたり、パッド台１２と面ファスナー１４の間にはゴム板１３が介装されているため、各パッド片１５の面ファスナー１４側への加圧が容易になり、面ファスナー１４と各パッド片１５及びガイド板１６との接合性を向上させることが可能となる。また、一旦取り付けた各パッド片１５は、一定以上の力で接合面に対して垂直に引っ張れば、面ファスナー１４から比較的容易に取り外すことができる。
【００５４】
以上の如く、各パッド片１５が面ファスナー１４を介してパッド台１２に対して着脱自在に接合されているため、各パッド片１５が磨耗して全体的に薄くなったり、一部のみが薄くなるいわゆる片減り状態になったりした場合には、パッド片１５を一定以上の力で引っ張ることでパッド台１２から取り外し、交換用の別のパッド片１５に容易に付け替えることができる。従って、パッド片１５の交換をワンタッチで行うことができ、メンテナンス性の向上を図ることが可能となる。
【００５５】
また、本実施の形態では、各パッド片１５だけでなくガイド板１６も、パッド台１２に対して面ファスナー１４を介して着脱自在に接合されているため、メンテナンス性を一層向上させることができる。更に、場合によっては、各パッド片１５及びガイド板１６をすべて面ファスナー１４から取り外し、従来品である円環状の不織布製のパッド片（図示せず）を面ファスナー１４に取り付けることも可能となる。そのため、同一のパッド台１２を用いて、本発明に係るパッド片１５と従来品のパッド片を使い分けることができ、同一外径のパッド台１２を複数準備する必要がなくなり、汎用性の向上と管理コストの低減を図ることができる。
【００５６】
なお、本実施の形態では、面ファスナー１４の下面にフック面３６を設け、各パッド片１５及びガイド板１６の下面にそれぞれループ面４１を設けたが、他の異なる実施形態では、これとは逆に、面ファスナー１４の下面にループ面４１を設け、各パッド片１５及びガイド板１６の下面にフック面３６を設けることも、もちろん可能である。
【００５７】
また、ガイド板１６は、その厚みがあまりに厚くなりすぎると、各パッド片１５が磨耗して薄くなって来た際にガイド板１６の厚みとの差異が少なくなってしまい、最悪はガイド板１６が床面に接するまでに至る危険性が増加する。そのため、ガイド板１６は各パッド片１５の厚みに対して１／３以下とするのが好ましい。一方で、ガイド板１６があまりに薄すぎると、各パッド片１５を十分に支持できなくなる虞がある。そこで、最も好ましくは、ガイド板１６を各パッド片１５の１／５程度の厚みとすれば、パッド片１５の磨耗に対する余裕が十分に確保され、且つ、パッド片１５の取付作業の作業性とガイド板１６による各パッド片１５の支持力を、同時に高めることが可能となる。
【００５８】
次に、上記した本実施形態の洗浄パッド３を備えた床面洗浄機１を用いて、床面を洗浄する方法について説明する。
【００５９】
まず、床面洗浄機１の電源を入れて、床面洗浄機１のハンドル７をオペレータが押したり引いたりして走行させる。その際、図示しない内蔵の走行モータ等を駆動させて、上記の走行をアシストする。同時に、洗浄水タンクに収納された洗浄水を、適宜洗剤等を混合させた上で、給水ホース等を介して洗浄パッド３の近傍で床面に滴下させるとともに、パッドモータにより主軸２４及び洗浄パッド３を回転させて床面を洗浄する。洗浄後の汚水は、本体２の後ろ側に位置したスキージ４により中央に集められ、ブロアモータにより吸引口から吸引ホース等を介して吸引回収され、汚水タンクに収容される。その際、洗浄パッド３の回転方向は予め一方向に決められており、洗浄パッド３を逆回転させることは通常行わない。
【００６０】
この床面の洗浄時において、例えば、床面に落ちていた何らかの異物等が各パッド片１５に接触した場合や、上記の異物等に各パッド片１５が乗り上げようとした場合には、各パッド片１５に対して、外部から内部に向けて外力が加わる。しかしながら、各パッド片１５が洗浄パッド３の回転方向に向かって内側に傾斜した姿勢でガイド板１６に支持されているため、各パッド片１５に対する外力を、外周部３７の比較的なだらかで長い距離の傾斜した部分で受けることができる。そのため、パッド片に加わる負荷のほとんどがガイド部の内側方向に作用するために、各パッド片１５が容易に面ファスナー１４から外れたりずれたりする危険性を、極めて少なくすることが可能となる。
【００６１】
加えて、パッド片１５の回転方向先端側の端部４０がガイド板１６に支持される一方で回転方向後端側の端部４０を解放したことで、洗浄作業時にパッド片１５に何らかの異物が強く接触したとしても、パッド片に加わった負荷がガイド部に及んでガイド部が容易にずれたり外れたりする危険性が少なくなり、洗浄作業の作業性を向上させることが可能となる。さらに最悪のケースとしてパッド片１５が異物を噛み込んだ場合でも１つのパッド片１５のみが面ファスナー１４から脱落するだけで済み、床面洗浄機１に損傷を与える事がないというリミッター機能を有しているといえる。
【００６２】
また、上述の如く各パッド片１５を回転方向に対して内側に傾斜させているため、回転時に各パッド片１５が通過する部分の幅（図２の矢印Ｘ参照）を大きくすることができ、広い洗浄範囲をカバーすることができる。
＜第２の実施形態＞
次に、本発明の第２の実施形態にかかる洗浄パッド３について、図７を用いて説明する。
【００６３】
洗浄パッド３は、大径の洗浄パッド３であり、主に中型から大型の床面洗浄機１に搭載されることが多く、外径Ｄ２（図７参照）は２０インチ程度である。本実施形態の洗浄パッド３は、前記第１の実施形態の洗浄パッド３と同様に、円環状のパッド台１２と、このパッド台１２の下面に取り付けられる円環状のスペーサ部材としてのゴム板１３と、このゴム板１３の下面に取り付けられる円環状の面ファスナー１４と、この面ファスナー１４の下面に、円周方向に沿って等間隔に取り付けられる３個のパッド片１５と、面ファスナー１４の下面に取り付けられてパッド片１５を支持する円環状のガイド板１６と、を備えている。
【００６４】
パッド台１２、ゴム板１３及び面ファスナー１４は、その外径を、洗浄パッド３の外径に対応して２０インチ程度としている。パッド台１２、ゴム板１３及び面ファスナー１４の形状については、第１の実施形態と同様であるため、説明を省略する。
【００６５】
各パッド片１５は、第１の実施形態の各パッド片１５と同一形状且つ同一寸法である。即ち、各パッド片１５の外周部３７は、後述する第４の実施形態において説明する小径の洗浄パッド３に使用される１３インチの外径を備えたパッド台１２の外径部１２ａに対応して湾曲している。
【００６６】
ガイド板１６の各ガイド部４３は、前記第１の実施形態のガイド板１６の各ガイド部４３よりも、洗浄パッド３の回転方向に対する内周当接部４４の内側への傾斜が大きくなっている。そのため、図２、図７から明らかな通り、各ガイド部４３に沿って各パッド片１５を配置すると、各パッド片１５の内側傾斜角度が、第１の実施形態の場合よりも大きくなる。また、前記第１の実施形態では、各パッド片１５の内周部３８の全体が各ガイド部４３の内周当接部４４に当接していたが、本実施形態では、各パッド片１５の内側傾斜角度が大きくなるのに伴って、各パッド片１５の内周部３８の一方の端部４０（回転方向先端側の端部）側のみが、内周当接部４４と当接している。
【００６７】
上記した各パッド片１５をパッド台１２に対して着脱する方法については、第１の実施形態の場合と同様であるため、記載を省略する。
【００６８】
上述の如く構成された洗浄パッド３を、第１の実施形態の場合と同様の方法で回転させると、各パッド片１５の内側傾斜角度を第１の実施形態の場合よりも大きくしているため、同一の寸法及び同一の形状のパッド片１５を用いながら、回転時にパッド片１５が通過する部分の幅（図７の矢印Ｙ参照）を、第１の実施形態の場合（図２の矢印Ｘ参照）よりも大きくすることができる。従って、第１の実施形態の場合よりも洗浄パッド３の直径を大きくしたのに対応して、洗浄幅も広くすることができ、洗浄パッド３の外径に応じて適切な洗浄幅を得ることができる。
＜第３の実施形態＞
本発明の第３の実施形態に係る洗浄パッド３及びこれを搭載した床面洗浄機１について、図８及び図９を参照して説明する。以下、図８における左前側の面を床面洗浄機１の正面とした場合について説明する。
【００６９】
第３の実施形態の床面洗浄機１は、小型の床面洗浄機１であり、蓋１１を備えた円筒状の汚水タンク５０及び蓋１０を備えた箱型形状の洗浄水タンク５１が連結部５２によって前後方向に連結された本体２と、汚水タンク５０の下方において本体２の底面に取り付けられた略円盤状のガード部材９と、このガード部材９内に取り付けられる洗浄パッド３と、この洗浄パッド３の後方において本体２の底面に取り付けられて左右方向に若干張り出した形状で取り付けられるスキージ４と、汚水タンク５０の下端前方に取り付けられた左右一対のキャスター５３と、洗浄水タンク５１の下端部に取り付けられた左右一対の車輪５４と、洗浄水タンク５１の上部後方に取り付けられたハンドル７と、を備えている。
【００７０】
洗浄水タンク５１から洗浄パッド３の近傍に洗浄水を供給するための構成及びスキージ４から汚水タンク５０に洗浄後の汚水を吸引する構成については、第１の実施形態と同様であるため、記載を省略する。
【００７１】
洗浄パッド３は、小径の洗浄パッド３であり、大型の床面洗浄機１に複数搭載されることもあるが、本実施形態のように小型の床面洗浄機１に単数で搭載されることが多い。洗浄パッド３の外径Ｄ３（図８、図９参照）は１５インチ程度であり、この洗浄パッド３の外径が、そのまま床面洗浄機１の洗浄幅になっている。
【００７２】
洗浄パッド３は、前記第１、第２の実施形態の洗浄パッド３と同様に、円環状のパッド台１２と、このパッド台１２の下面に取り付けられる円環状のスペーサ部材としてのゴム板１３と、このゴム板１３の下面に取り付けられる円環状の面ファスナー１４と、この面ファスナー１４の下面に対して周方向に沿って取り付けられる３個のパッド片１５と、面ファスナー１４の下面に取り付けられて各パッド片１５を支持する円環状のガイド板１６と、を備えている。
【００７３】
パッド台１２、ゴム板１３及び面ファスナー１４は、その外径を、洗浄パッド３の外径に対応して１５インチ程度としている。パッド台１２、ゴム板１３及び面ファスナー１４の形状については、第１の実施形態と同様であるため、説明を省略する。
【００７４】
各パッド片１５は、第１、第２の実施形態の各パッド片１５と同一形状且つ同一寸法である。即ち、各パッド片１５の外周部３７は、後述する第４の実施形態において説明する小径の洗浄パッド３に使用される１３インチ程度の外径を備えたパッド台１２の外径部１２ａに対応して湾曲している。
【００７５】
ガイド板１６には、周方向に３個のガイド部４３が設けられている。各ガイド部４３には、パッド台１２の外径部１２ａに対向するように形成された湾曲形状の内周当接部４４と、この内周当接部４４の両側に、内周当接部４４から外側に屈曲して設けられた直線状の両端当接部５５と、を備えており、両端当接部５５に各パッド片１５の両端部４０を当接させた状態で、各パッド片１５の内周部３８が内周当接部４４に当接するように形成されている。
【００７６】
また、前記第１、第２の実施形態では、各ガイド部４３の内周当接部４４をパッド台１２の円周方向に対して傾斜させていたが、本実施の形態では、各ガイド部４３の内周当接部４４がパッド台１２の円周方向に対してほぼ傾斜せずに配置されている。そのため、各ガイド部４３に沿って各パッド片１５を配置すると、各パッド片１５は、洗浄パッド３の回転方向に対してほぼ傾斜しない姿勢で配置される。
【００７７】
上記した各パッド片１５をパッド台１２に対して着脱する方法については、前記第１、第２の実施形態の場合と同様であるため、記載を省略する。
【００７８】
上記した本実施形態の洗浄パッド３を備えた床面洗浄機１を用いて、床面を洗浄するには、床面洗浄機１のハンドル７をオペレータが押したり引いたりして走行させながら、第１の実施形態の場合と同様の方法で、洗浄を行う。なお、本実施の形態では、各パッド片１５が、その回転方向に対して傾斜しない姿勢で配置されているため、各パッド片１５が通過する部分の幅Ｚ（図９参照）は、前記第１、第２の実施形態の場合と比較して、小さくなる。
【００７９】
この洗浄時において、各パッド片１５が外力を受けたとしても、本実施の形態では前述の如く、各パッド片１５の両端部４０及び内周部３８がガイド部４３に支持されているため、各パッド片１５が面ファスナー１４から容易に外れたりずれたりする危険性は極めて少ない。
【００８０】
本実施形態の如く、洗浄パッド３が小型の洗浄機に１個だけ取り付けられる場合には、洗浄パッド３の回転方向は予め一方向に決められており、洗浄パッド３を逆回転させることは通常行わない。しかしながら、本実施形態の洗浄パッド３は、前述の如く大型の床面洗浄機１等に複数個ずつ搭載されることも多く、この場合には、一の洗浄パッド３と他の洗浄パッド３を互いに逆方向に回転させる必要が生じる（第４の実施形態参照）。この点、本実施の形態の洗浄パッド３は、各パッド片１５の両端部４０が各ガイド部４３の両端当接部５５に支持されているため、洗浄パッド３をいずれの方向に回転させた場合でも、各パッド片１５の回転方向先端側の端部４０が各ガイド部４３に支持され、各パッド片１５がずれたり外れたりする虞は極めて少ない。
【００８１】
なお、第１〜第３の実施形態では、各ガイド板１６のガイド部４３に各パッド片１５を当接させる場合について説明したが、他の異なる実施形態では、各ガイド板１６のガイド部４３に沿って、各パッド片１５を近接させても良い。また、第１〜第３の実施形態では、各パッド片１５を当接させるガイド板１６の形状によって各パッド片１５の傾斜する姿勢を決めるようにしたが、他の異なる実施形態においては、例えばガイド板１６を各パッド片１５の取り付けの際にのみ使用する取付冶具として使用することも可能である。更に、ガイド板１６を用いずに、面ファスナー１４の表面に予め各パッド片１５の取付位置を線で描画しておき、その線に沿って各パッド片１５を取り付けるような方法を採用することも可能である。
＜第４の実施形態＞
本発明の第４の実施形態に係る洗浄パッド３及びこれを備えた床面洗浄機１について、図１０、図１１を参照して説明する。以下、図１０における左前側の面を床面洗浄機１の正面とした場合について説明する。
【００８２】
第４実施形態の床面洗浄機１は、大型の床面洗浄機１であり、前面に操作用座席５６が設けられた本体２と、この本体２の前方に立設されるとともに本体２と連結板５７を介して連結される支持台５８と、この支持台５８の上面に取り付けられるハンドル７と、支持台５８の下方において連結板５７に取り付けられる前輪５と、この前輪５の後方において本体２の底面に取り付けられる左右一対の洗浄パッド３と、この洗浄パッド３の後方において本体２に取り付けられる後輪６と、この後輪６のさらに後方において本体２の左右方向に張り出した形状で取り付けられるスキージ４と、を備えている。
【００８３】
本体２の内部には、いずれも図示を省略する洗浄水タンク及び汚水タンクが設けられている。洗浄水タンクから洗浄パッド３に洗浄水を供給する構成、スキージ４から汚水タンクに洗浄後の汚水を吸引する構成については、前記第１の実施形態と同様であるため、記載を省略する。
【００８４】
本実施形態の洗浄パッド３は、小径の洗浄パッド３であり、本実施形態の如く大型の床面洗浄機１に複数個搭載されることが多く、外径Ｄ４(図１１参照）は１３インチ程度である。本実施の形態では、この小径の洗浄パッド３が２個搭載されているが、それら２個の小径の洗浄パッド３によってカバーされる洗浄幅Ｗ（図１０参照）は、前述した小型及び中型の床面洗浄機１よりも大きく成っている。
【００８５】
洗浄パッド１３は、円環状のパッド台１２と、このパッド台１２の下面に取り付けられる円環状のスペーサ部材としてのゴム板１３と、このゴム板１３の下面に取り付けられる円環状の面ファスナー１４と、この面ファスナー１４の下面に対して周方向に沿って取り付けられる３個のパッド片１５と、を備えている。即ち、本実施の形態の洗浄パッド３は、前記第１〜第３の実施形態の洗浄パッド３とは異なり、ガイド板１６を用いずに形成されている。
【００８６】
パッド台１２は、外径が１３インチ程度であり、第１〜第４の実施形態のパッド台１２の中で、最小外径のパッド台１２である。
【００８７】
各パッド片１５は、第１〜第３の実施形態の各パッド片１５と同一形状且つ同一寸法である。即ち、各パッド片１５の外周部３７は、１３インチ程度の外径を備えた本実施形態のパッド台１２の外径部１２ａに対応して湾曲している。そのため、各パッド片１５の外周部３７をパッド台１２の外径部１２ａに沿って配置した際に、各パッド片１５の外周部３７とパッド台１２の外径部１２ａが平面視で同一円弧上に配置されるようになっている。各パッド片１５の内周部３８は、各パッド片１５をパッド台１２に配置した際に、各パッド片１５の内周部３８の最も中心よりの部分が、面ファスナー１４の内径部に平面視で重なるようになっている。
【００８８】
なお、本実施形態でこのように、各パッド片１５の外周部３７と最小外径のパッド台１２の外径部１２ａが平面視で同一円弧上に配置されるようになっているが、他の異なる実施形態では、各パッド片１５の外周部３７が、パッド台の外径部１２ａより内側において湾曲するものであっても良い。また、本実施形態では、図１１に示される如く、各パッド片１５の内周部３８が、最小外径のパッド台１２の内径部１２ｂより外側において湾曲しているが、他の異なる実施形態では、各パッド片１５の内周部３８が、最小外径のパッド台１２の内径部１２ｂと同一円弧上に配置されるものであっても良い。
【００８９】
次に、洗浄パッド３を組み立てる場合又は各パッド片１５を交換する場合に、各パッド片１５をパッド台１２に対して着脱する方法を以下に説明する。
【００９０】
まず、一個目のパッド片１５を、その外周部３７がパッド台１２の外径部１２ａに沿うように面ファスナー１４上に配置し、一定荷重で加圧する。これにより、一個目のパッド片１５のループ面４１が面ファスナー１４のフック面３６に接合されて、パッド片１５が面ファスナー１４に固定される。次に、２個目のパッド片１５を、その外周部３７がパッド台１２の外径部１２ａに沿い、且つ、すでに固定した一個目の各パッド片１５の端部に２個目のパッド片１５の端部を当接させるようにして配置して、同様に加圧固定する。最後に、３個目のパッド片１５を、その外周部３７がパッド台１２の外径部１２ａに沿い、且つ、すでに固定した一個目及び２個目のパッド片１５の端部に両端部を当接させるようにして配置して、同様に加圧固定する。これにより、３個の各パッド片１５が、その両端部４０を隣接するパッド片１５の端部と当接させるようにして、面ファスナー１４のフック面３６に固定される。もちろん、一旦取り付けた各パッド片１５を一定以上の力で接合面に対して垂直方向に引っ張れば、面ファスナー１４から比較的容易に取り外すことができる。
【００９１】
本実施の形態では上述の如く、ガイド板１６等を用いずにパッド台１２に各パッド片１５を固定できるため、部品点数を少なくしてコストダウンを図ることが可能となる。特に、本実施形態の１３インチ程度の洗浄パッド３は、大型の床面洗浄機１において複数個使用される場合が多く、使用数が多いため、装置全体としてのコストダウン効果が大きい。
【００９２】
次に、上記した本実施形態の洗浄パッド３を備えた大型の床面洗浄機１を用いて、床面を洗浄するには、操作用座席にオペレータが搭乗して、ハンドル７の操作や図示しないペダル操作等行い、図示しない走行モータやエンジンで大型の床面洗浄機１を走行させる。同時に、一対の洗浄パッド３を回転させ、その洗浄パッド３間に洗浄水を滴下させて洗浄を行うとともに、本体２の後部に配置されたスキージ４で、洗浄後の汚水を吸引して回収する。
【００９３】
この床面の洗浄時において、各パッド片１５に外力が加わっても、本実施の形態では前述の如く、各パッド片１５の両端部４０同士が当接して外力を受けるようになっており、各パッド片１５が互いに支持されているため、各パッド片１５が面ファスナー１４から容易に外れたりずれたりする危険性は極めて少ない。
【００９４】
また、本実施形態の如く、一対の洗浄パッド３を用いて洗浄を行う場合には、図１０に示す如く、各洗浄パッド３を互いに逆の方向に回転させることにより、床面に滴下した洗浄水を洗浄幅Ｗから極力外に流出させないようにする。よって、この場合の一対の洗浄パッド３の回転方向は、互いに逆方向に回転させることが想定される。この点、本実施の形態では、各パッド片１５の両端部４０同士が当接して外力を受けるようになっているため、各パッド片１５がどちらの方向に回転しても、各パッド片１５が容易に面ファスナー１４から外れたり、各パッド片１５と面ファスナー１４の接合位置がずれたりする危険性は極めて少ない。
【００９５】
なお、本実施の形態ではこのように、各パッド片１５の両端部４０同士を当接させているが、他の異なる実施形態では、各パッド片１５の両端部４０同士を当接させることなく、近接させて配置しても良い。
【００９６】
以上の如く、第１〜第４実施例の洗浄パッド３においては、同一形状及び同一寸法のパッド片１５を用いて、４種類の外径のパッド台１２に対して洗浄パッド３を構成することができる。つまり、様々な外径のパッド台１２に対して、一種類のパッド片１５のみで洗浄パッド３を構成することができるため、パッド片１５の汎用性を高めることができる。このように、本発明は、様々な形態の機種ラインナップが存在する床面洗浄機１に採用される多数の寸法バリエーションを持つ洗浄パッド３において、製作形状の統一及び管理コストの低減を可能にしつつ、優れた洗浄能力を発揮することができる。
【００９７】
なお、本発明の洗浄パッド３は、主に圧縮メラミンフォームを用いた洗浄パッド３に使用されるのが好適であるが、他の材質の洗浄パッド３に本発明の構成を採用したり、圧縮メラミンフォームの洗浄パッド３と他の材質の洗浄パッド３を組み合わせた洗浄パッド３に本発明の洗浄パッド３を採用したりすることも、技術的に可能である。
【００９８】
また、特に、第２の実施形態の洗浄パッド３のような大型の洗浄パッドにおいては、洗浄時に高い荷重がかかることが想定される。そのため、各パッド片１５の搭載数を、３個ではなく４個や６個等に増やして、荷重を分散させるのが好ましい。更に、パッド片１５の搭載数を、パッド片１５の材質によって使い分けても良い。
【００９９】
また、洗浄パッド３に用いられるパッド台１２の外径は、上記各実施形態で例示したものには限られない。例えば、第１の実施形態のパッド台１２の外径を、上記した１７インチ程度ではなく１５インチ程度としても良いし、第２の実施形態のパッド台１２の外径を、上記した２０インチ程度ではなく１７インチ程度としても良いし、第４の実施形態のパッド台１２（最小寸法のパッド台）の外径を、上記した１３インチ程度ではなく１５インチ程度とすることも可能である。本発明の洗浄パッド３は、主にセラミックタイル性の床材に対して使用して好適なものであるが、使用形態はこれに限られない。また、上記各実施形態では、床面洗浄機に本発明の床面洗浄装置を適用する場合について説明したが、他の異なる実施形態では、床面艶出し機等、床面洗浄機以外の洗浄装置に本発明の床面洗浄装置を適用することも可能である。
【０１００】
なお、本発明の実施例で説明した床面洗浄機１及び床面洗浄パッド３の構成は一例で、上記に述べた本発明の実施形態は本発明の好適な具体例であり、技術的に好ましい種々の限定を付している場合もあるが、本発明の技術範囲は、特に本発明を限定する記載がない限りこれらの態様に限定されるものではない。
【産業上の利用可能性】
【０１０１】
本発明の技術は、ホテルや空港ロビー等の大規模なフロアを有する施設に使用される大型の床面洗浄機１から、比較的狭い通路を有するコンビニエンスストア等に使用される小型の床面洗浄機１まで、様々な仕様の床面洗浄機１のバリエーションに対応した床面洗浄パッド３として利用されることが見込まれるものである。
【符号の説明】
【０１０２】
１  床面洗浄機（床面洗浄装置）  
３  床面洗浄パッド（洗浄パッド）  
１２  パッド台  
１４  面ファスナー
１５  パッド片  
１６  ガイド板  
３７  外周部  
３８  内周部  
４０  両端部  
４３  ガイド部  
【図１】
0005706636.tif 000002
【図２】
0005706636.tif 000003
【図３】
0005706636.tif 000004
【図４】
0005706636.tif 000005
【図５】
0005706636.tif 000006
【図６】
0005706636.tif 000007
【図７】
0005706636.tif 000008
【図８】
0005706636.tif 000009
【図９】
0005706636.tif 000010
【図１０】
0005706636.tif 000011
【図１１】
0005706636.tif 000012